(57)【特許請求の範囲】
【請求項１】
ほぼ矩形状でほぼ同じ大きさの二枚の簀の子の一辺同士を姿勢変更自在な連結部材により連結して構成され、前記二枚の簀の子をほぼ水平に展開した使用姿勢、及び前記二枚の簀の子が重なるように折り畳んだ折り畳み姿勢に姿勢変更可能な寝床用敷き板であって、
前記折り畳み姿勢において対面する二枚の簀の子の裏面側に、それらの高さ方向の中間位置に設けた一対の方向転換部材と、
前記方向転換部材の両方に下方から掛け渡して前記簀の子の裏面に添わせるとともに、前記二枚の簀の子の間から表面側へ引き出した可撓性長尺部材と、
からなる折り畳み手段を備え、
前記方向転換部材は、
前記簀の子の幅方向軸まわりに回動するローラ、又は
前記簀の子の幅方向軸まわりに回動しない、固定された杆体であり、
前記可撓性長尺部材をループ状に形成してなることを特徴とする寝床用敷き板。
【請求項２】
ほぼ矩形状でほぼ同じ大きさの二枚の簀の子の一辺同士を姿勢変更自在な連結部材により連結して構成された単位敷き板の二組を、姿勢変更自在な中央連結部材で連結して構成され、前記単位敷き板の二組を構成する四枚の簀の子をほぼ水平に展開した使用姿勢、及び前記四枚の簀の子が重なるように折り畳んだ折り畳み姿勢に姿勢変更可能な寝床用敷き板であって、
前記折り畳み姿勢において対面する、前記単位敷き板の二枚の簀の子の裏面側に、それらの高さ方向の中間位置に設けた一対の方向転換部材と、
前記方向転換部材の両方に下方から掛け渡して前記簀の子の裏面に添わせるとともに、前記二枚の簀の子の間から表面側へ引き出した可撓性長尺部材と、
からなる一対の折り畳み手段を備え、
前記方向転換部材は、
前記簀の子の幅方向軸まわりに回動するローラ、又は
前記簀の子の幅方向軸まわりに回動しない、固定された杆体であり、
前記可撓性長尺部材をループ状に形成してなることを特徴とする寝床用敷き板。
【請求項３】
前記折り畳み姿勢における前記簀の子の下端部に転動体を設け、前記転動体を接地させてなる請求項１又は２記載の寝床用敷き板。
【請求項４】
前記転動体の少なくとも表面側部分を軟質合成樹脂製又は合成ゴム製としてなる請求項３記載の寝床用敷き板。
【請求項５】
前記可撓性長尺部材がベルトである請求項１〜４の何れか１項に記載の寝床用敷き板。
【請求項６】
前記簀の子の裏面の前記可撓性長尺部材が表面側へ引き出される端部に、前記可撓性長尺部材を案内するガイド部材を設けてなる請求項１〜５の何れか１項に記載の寝床用敷き板。
【請求項７】
前記可撓性長尺部材の前記二枚の簀の子の間から表面側へ引き出した部分にそれぞれ設けられた通孔を備え、
前記通孔間にわたる係止ピンを前記通孔に挿入して前記部分同士を連結することにより、前記二枚の簀の子を逆Ｖ字状に立てた傾斜姿勢を維持してなる請求項１〜６の何れか１項に記載の寝床用敷き板。
【発明の詳細な説明】
【技術分野】
【０００１】
本発明は、折り畳み式の寝床用敷き板に関わり、更に詳しくは、姿勢変更を容易に行うことができる寝床用敷き板に関する。
【背景技術】
【０００２】
従来の寝床用敷き板として、二枚の簀の子の一辺同士を姿勢変更自在な連結部材により連結して構成され、前記二枚の簀の子をほぼ水平に展開した使用姿勢、及び前記二枚の簀の子が重なるように折り畳んだ折り畳み姿勢に姿勢変更可能なものがある（例えば、特許文献１〜３参照）。
また、従来の寝床用敷き板として、二枚の簀の子の一辺同士を姿勢変更自在な連結部材により連結して構成された単位敷き板の二組を、姿勢変更自在な中央連結部材で連結して構成され、前記四枚の簀の子をほぼ水平に展開した使用姿勢、及び前記四枚の簀の子が重なるように折り畳んだ折り畳み姿勢に姿勢変更可能なものがある（例えば、特許文献４参照）。
【０００３】
これらの寝床用敷き板は、前記使用姿勢では、その上に敷き布団を敷いて使用でき、前記折り畳み姿勢では、運搬又は収納できる。
その上、前記二枚の簀の子を逆Ｖ字状（山形状）に立てた傾斜姿勢にした状態を姿勢維持部材により維持することにより、布団干しとしても使用できる。
【先行技術文献】
【特許文献】
【０００４】
【特許文献１】登録実用新案第３１６５６５４号公報
【特許文献２】特開２００６−３３４０７３号公報
【特許文献３】特開２００３−０３３２５４号公報
【特許文献４】特開２００９−１１９０３９号公報
【発明の概要】
【発明が解決しようとする課題】
【０００５】
以上のような従来の寝床用敷き板は、前記使用姿勢、前記折り畳み姿勢、及び前記傾斜姿勢に姿勢変更できるので、使い勝手が良いものである。
しかしながら、特許文献１，２及び４のような寝床用敷き板は、二枚の簀の子を手で持って姿勢変更を行う必要があることから、特に使用姿勢から折り畳み姿勢に姿勢変更する際にかなりの労力を要する。
【０００６】
また、特許文献３の寝床用敷き板は、前記傾斜姿勢を維持する姿勢維持部材である支持枠（５）を操作するための引き紐（７）を備えており、引き紐（７）を上方へ引き上げることにより前記折り畳み姿勢にすることができる。
しかしながら、前記使用姿勢において引き紐（７）が一方の簀の子であるスノコ状板（１）に添っていることから、スノコ状板（１）のみに引き紐（７）の張力が作用するので、二枚の簀の子の両方をバランス良く折り畳み難い。特に使用姿勢から折り畳み姿勢に姿勢変更する際に、一方の簀の子であるスノコ状板（１）を立てて、他方の簀の子である引き寄せスノコ板（２）を引き寄せる動作を行わせるのにはかなりの労力を要する。
【０００７】
そこで本発明が前述の状況に鑑み、解決しようとするところは、少ない労力で姿勢変更を容易に行うことができる寝床用敷き板を提供する点にある。
【課題を解決するための手段】
【０００８】
本発明に係る寝床用敷き板は、前記課題解決のために、ほぼ矩形状でほぼ同じ大きさの二枚の簀の子の一辺同士を姿勢変更自在な連結部材により連結して構成され、前記二枚の簀の子をほぼ水平に展開した使用姿勢、及び前記二枚の簀の子が重なるように折り畳んだ折り畳み姿勢に姿勢変更可能な寝床用敷き板であって、
前記折り畳み姿勢において対面する二枚の簀の子の裏面側に、それらの高さ方向の中間位置に設けた一対の方向転換部材と、
前記方向転換部材の両方に下方から掛け渡して前記簀の子の裏面に添わせるとともに、前記二枚の簀の子の間から表面側へ引き出した可撓性長尺部材と、
からなる折り畳み手段を備え、
前記方向転換部材は、
前記簀の子の幅方向軸まわりに回動するローラ、又は
前記簀の子の幅方向軸まわりに回動しない、固定された杆体であり、
前記可撓性長尺部材をループ状に形成してなることを特徴とする（請求項１）。
【０００９】
また、本発明に係る寝床用敷き板は、前記課題解決のために、ほぼ矩形状でほぼ同じ大きさの二枚の簀の子の一辺同士を姿勢変更自在な連結部材により連結して構成された単位敷き板の二組を、姿勢変更自在な中央連結部材で連結して構成され、前記単位敷き板の二組を構成する四枚の簀の子をほぼ水平に展開した使用姿勢、及び前記四枚の簀の子が重なるように折り畳んだ折り畳み姿勢に姿勢変更可能な寝床用敷き板であって、
前記折り畳み姿勢において対面する、前記単位敷き板の二枚の簀の子の裏面側に、それらの高さ方向の中間位置に設けた一対の方向転換部材と、
前記方向転換部材の両方に下方から掛け渡して前記簀の子の裏面に添わせるとともに、前記二枚の簀の子の間から表面側へ引き出した可撓性長尺部材と、
からなる一対の折り畳み手段を備え、
前記方向転換部材は、
前記簀の子の幅方向軸まわりに回動するローラ、又は
前記簀の子の幅方向軸まわりに回動しない、固定された杆体であり、
前記可撓性長尺部材をループ状に形成してなることを特徴とする（請求項２）。
【００１０】
これらのような寝床用敷き板の構成によれば、折り畳み手段が、二枚の簀の子にそれぞれ設けた方向転換部材、及び前記方向転換部材に掛け渡した可撓性長尺部材により構成されるとともに、前記可撓性長尺部材が前記方向転換部材の下方から掛け渡されて簀の子の裏面に添い、二枚の簀の子の間から表面側へ引き出されている。したがって、簀の子の表面側へ引き出された可撓性長尺部材を持ち上げると、可撓性長尺部材の張力が、前記方向転換部材を介して二枚の簀の子を近づけるように二枚の簀の子に対して均等に作用する。
よって、簀の子の表面側へ引き出された可撓性長尺部材を持ち上げることにより、バランス良く少ない労力で二枚の簀の子を折り畳むことができる。
その上、前記方向転換部材がローラである場合は、前記ローラが可撓性長尺部材の動きに合わせて回動することから、姿勢変更する際の抵抗が一層小さくなるので、姿勢変更する際の労力がより一層小さくなる。
その上さらに、可撓性長尺部材がループ状であることから無端状であるので、簀の子の表面側へ引き出された可撓性長尺部材の操作がしやすくなるとともに、簀の子の表面側へ引き出された可撓性長尺部材が簀の子の裏面側へ抜け落ちることがない。
【００１１】
ここで、前記折り畳み姿勢における前記簀の子の下端部に転動体を設け、前記転動体を接地させてなるのが好ましい（請求項３）。
このような構成によれば、接地している転動体が床面に添って転動することから、折り畳み姿勢へ姿勢変更する際の抵抗が非常に小さくなるので、折り畳み姿勢にする労力が非常に小さくなる。
その上、折り畳み姿勢において、簀の子の表面側へ引き出された可撓性長尺部材を下げることにより、転動体が床面に添って転動しながら自重により二枚の簀の子が均等に徐々に開いてくので、バランス良く非常に少ない労力で使用姿勢にすることができる。
【００１２】
また、前記転動体の少なくとも表面側部分を軟質合成樹脂製又は合成ゴム製としてなるのがより好ましい（請求項４）。
このような構成によれば、床面を転動する転動体の表面側部分が軟質合成樹脂製又は合成ゴム製であることから、その高い衝撃吸収性によりフローリングなどの床面を傷つけることがない。
【００１５】
また、前記可撓性長尺部材がベルトであるのが好ましい（請求項５）。
このような構成によれば、紐体やワイヤーと比較して幅広のベルトにより可撓性長尺部
材を形成しているので、可撓性長尺部材を用いた折り畳み手段の動作がより安定かつ確実なものとなる。
【００１６】
さらに、前記簀の子の裏面の前記可撓性長尺部材が表面側へ引き出される端部に、前記可撓性長尺部材を案内するとともに、前記可撓性長尺部材が表面側へ引き出された状態を保持するガイド部材を設けてなるのが好ましい（請求項６）。
このような構成によれば、簀の子の裏面の端部に設けたガイド部材により可撓性長尺部材が案内されるので、可撓性長尺部材を用いた折り畳み手段の動作がより一層安定かつ確実なものとなる。
【００１７】
さらにまた、前記可撓性長尺部材の前記二枚の簀の子の間から表面側へ引き出した部分にそれぞれ設けられた通孔を備え、
前記通孔間にわたる係止ピンを前記通孔に挿入して前記部分同士を連結することにより、前記二枚の簀の子を逆Ｖ字状に立てた傾斜姿勢を維持してなるのが好ましい（請求項７）。
このような構成によれば、折り畳み手段を構成する可撓性長尺部材を利用して、可撓性長尺部材の二枚の簀の子の間から表面側へ引き出した部分同士を係止ピンにより連結することにより傾斜姿勢を維持できるので、傾斜姿勢を維持する姿勢維持部材を別途設ける構成と比較して製造コストを低減できる。
【発明の効果】
【００１８】
以上のとおり、本発明に係る寝床用敷き板によれば、少ない労力で姿勢変更を容易に行うことができるので、使用価値を向上できる。
【図面の簡単な説明】
【００１９】
【図１】本発明の第一実施形態に係る寝床用敷き板の使用姿勢を示す斜視図である。
【図２】同じく平面図である。
【図３】同じく底面図である。
【図４】使用姿勢における折り畳み手段まわりの要部拡大縦断側面図である。
【図５】縦断側面図であり、（ａ）は寝床用敷き板を使用姿勢から折り畳み姿勢にする途中の状態、（ｂ）は折り畳み姿勢を示している。
【図６】傾斜姿勢を示す斜視図である。
【図７】寝床用敷き板を傾斜姿勢にする手順を示す縦断側面図であり、（ａ）は姿勢維持部材にて傾斜姿勢を維持する前の状態、（ｂ）は姿勢維持部材にて傾斜姿勢を維持する直前の状態、（ｃ）は姿勢維持部材にて傾斜姿勢を維持した状態を示している。
【図８】姿勢維持部材の斜視図である。
【図９】縦断側面図であり、（ａ）は姿勢維持部材を簀の子に添わせて掛止した状態を、（ｂ）は姿勢維持部材を回動させて先端部を簀の子から離反させた状態を示している。
【図１０】方向転換部材の平面図である。
【図１１】ガイド部材の斜視図である。
【図１２】他のガイド部材の斜視図である。
【図１３】転動体の縦断側面図である。
【図１４】本発明の第二実施形態に係る寝床用敷き板の傾斜姿勢を示す縦断側面図である。
【図１５】傾斜姿勢における姿勢維持手段まわりの要部拡大縦断側面図である。
【発明を実施するための形態】
【００２０】
以下、本発明の実施形態を添付図面に基づき詳細に説明するが、本発明は、添付図面に示された形態に限定されず特許請求の範囲に記載の要件を満たす実施形態の全てを含むものである。
【００２１】
なお、本明細書においては、実施の形態１の図１乃至図３に示す寝床用敷き板１を床面に広げた使用姿勢において、寝床用敷き板１の長手方向を前後方向、寝床用敷き板１の短手方向を左右方向（幅方向）とする。
また、寝床用敷き板１を構成する各部材についても、寝床用敷き板１の姿勢（前記使用姿勢並びに後述する折り畳み姿勢及び逆Ｖ字状に立てた姿勢）によって向きが異なるものとなるが、寝床用敷き板１が前記使用姿勢である場合を基準にして上述の前後左右方向の定義を用いる。
さらに、実施の形態２の寝床用敷き板１Ａにおいても、同様の方向の定義を用いる。
【００２２】
第一実施形態．
本発明に係る寝床用敷き板の第一実施形態を、図１〜図１３に沿って説明する。
寝床用敷き板１は、図１乃至図３に示すように、二枚の簀の子２，３と、連結部材である帯状部材４，４と、折り畳み手段２０と、姿勢維持部材３０とで構成されている。
【００２３】
図１乃至図３に示すように、本発明の実施の形態に係る寝床用敷き板１は、ほぼ矩形状でほぼ同じ大きさの二枚の簀の子２，３の一辺同士（前側の簀の子２の後辺と後側の簀の子３の前辺）を連結部材である帯状部材４，４で連結したものであり、図１のように、前後方向に最も長くなるように、すなわち帯状部材４，４が連結される辺の対辺が最も離れるように、二枚の簀の子２，３をほぼ水平に展開した使用姿勢にしたときには、その上に敷き布団を敷いて使用することができる。
また、折り畳み手段２０を用いて、図５（ｂ）に示す二枚の簀の子２，３の裏面（底面）同士を重ね合わせて折り畳んだ折り畳み姿勢に姿勢変更したとき、すなわち二枚の簀の子２，３の前記対辺が最も近づくように折り畳んだ折り畳み姿勢に姿勢変更したときには、家具と家具との隙間に収納したり、壁に立て掛ける等、小さなスペースでも収納することができる。
さらに、図６及び図７（ｃ）に示すように、折り畳み手段２０を用いて、帯状部材４，４を上端に位置させた二枚の簀の子２，３を逆Ｖ字状に立てた姿勢（山形状の傾斜姿勢）に姿勢変更したときには、この姿勢を姿勢維持部材３０により維持することができ、布団を載せて布団干しとして使用することができる。
【００２４】
図１乃至図３に示すように、簀の子２及び３は、左右方向に延びる表面側板部材（桟）５Ａ，５Ｂ，５Ｃ，…，６Ａ，６Ｂ，６Ｃ，…を前後方向に所定間隔を置いて並設して表面を形成しており、前側の簀の子２では、帯状部材４，４が連結される後辺側（後側の簀の子３に隣接する辺側）の表面側板部材５Ａ及び帯状部材４，４が連結される辺の対辺である前辺側の表面側板部材５Ｂの間に、表面側板部材５Ｃ，５Ｃ，…を並設し、後側の簀の子３では、帯状部材４，４が連結される前辺側（前側の簀の子２に隣接する辺側）の表面側板部材６Ａ及び帯状部材４，４が連結される辺の対辺である後辺側の表面側板部材６Ｂの間に、表面側板部材６Ｃ，６Ｃ，…を並設している。
ここで、表面側板部材５Ｃ，５Ｃ，…及び６Ｃ，６Ｃ，…には、表裏方向（上下方向）に貫通した左右方向に長い通気孔１３，１３，…を形成しているが、通気孔として、長孔ではなく多数の丸孔を形成してもよい。
【００２５】
また、表面側板部材５Ａ，５Ｂ，５Ｃ，… の裏面に前後方向に延びる裏面側板部材７，７，…を、表面側板部材６Ａ，６Ｂ，６Ｃ，…の裏面に前後方向に延びる裏面側板部材８，８，…を取り付けるとともに、裏面側板部材７，７，…及び８，８，…の裏面には、所定間隔を置いて矩形板状の足部材１０，１０，…を取り付けている。
さらに、裏面側板部材７，７間及び裏面側板部材８，８間には、表面側板部材５Ａ，５Ｂ，５Ｃ，…，６Ａ，６Ｂ，６Ｃ，…の裏面にブロック状の足部材１１，１１，…を取り付けている。
表面側板部材５Ａ，５Ｂ，５Ｃ，… の左右方向両端部の裏面には、端縁を被うように左右方向側面側まで延びるＬ字状の足部材１２，１２，…を取り付けている。
このような足部材１０，１０，…、１１，１１，…、及び１２，１２，…を設けることにより、寝床用敷き板１が床面と接触する面積を小さくすることができ、すなわち、寝床用敷き板１が接触する床面と裏面側板部材７，７，…及び８，８，…との間に多数の空間（隙間）を設けることができるため、寝床用敷き板１の通気性が向上する。
【００２６】
さらにまた、図３及び図６に示すように、連結部材である帯状部材４，４を上端に位置させた二枚の簀の子２，３を逆Ｖ字状に立てた姿勢において、一方の簀の子２の下端の左右両端部と、他方の簀の子３の下端の中央部に、床面と接触して転がり運動する転動体１４を左右の支持体１５，１５間に軸支している。
図１３に示すように、転動体１４は、円筒体１４Ａ、及び円筒体１４Ａの外周面を被覆する被覆体１４Ｂからなる。
円筒体１４Ａ内に挿通される軸体１６を図３に示す支持体１５，１５により支持することにより、転動体１４は軸体１６まわりに回動可能となる。
【００２７】
ここで、円筒体１４Ａは、ポリプロピレン、ポリアセタール、ポリエチレンテレフタレート、ナイロン又はＡＢＳ等の硬質合成樹脂製である。
また、被覆体１４Ｂは、ウレタン系エラストマー（ＴＰＵ）、スチレン系エラストマー（ＴＰＳ）、オレフィン系エラストマー（ＴＰＯ）、若しくはポリアミド系エラストマー（ＴＰＡ）等の軟質合成樹脂製、又は、ウレタンゴム（ＵＲ，Ｕ）、アクリロニトリルブタジエンゴム（ＮＢＲ）、アクリルゴム（ＡＣＭ）、若しくはフッ素ゴム（ＦＫＭ、ＦＰＭ）等の合成ゴム製である。
【００２８】
図３及び図６に示すように、転動体１４は、軸心方向に３分割されており、それぞれ、独立して回転できる。したがって、寝床用敷き板１を移動するときに、３分割した転動体１４が個別に床面を転動するので、床面を引きずったり持ち上げたりすることなく僅かな力で移動させることができる。
その上、転動体１４表面の被覆体１４Ｂが軟質合成樹脂製又は合成ゴム製であることから、その高い衝撃吸収性によりフローリングなどの床面を傷つけることがない。
また、図５（ｂ）に示す折り畳み姿勢においても、転動体１４を床面に接触させることにより、寝床用敷き板１を僅かな力で移動することができる。しかも、転動体１４は、軸心方向に３分割されており、それぞれ、独立した回転を行うことができるので、寝床用敷き板１は滑らかな動きを行うことができる。
なお、転動体１４，１４，…は、円筒状ではなく、球状としてもよい。
【００２９】
このように構成される二枚の簀の子２，３の一辺同士を連結する連結部材である帯状部材４，４は、図３に示すように、可撓性（柔軟性）を有する材料、例えば布（革、合成皮革、軟質合成樹脂等でもよい）からなり、帯状部材４，４の前後端部が前後の固定部材９Ａ，９Ｂにより隣接する表面側板部材５Ａ，６Ａの裏面側に固定されるため、上述のような寝床用敷き板１の姿勢変更が可能になる。
なお、以上の説明では、二枚の簀の子２，３の一辺同士を連結する連結部材が帯状部材４，４である場合を示したが、連結部材は例えば金属製のヒンジ部材であってもよい。
【００３０】
次に、折り畳み手段２０の構成例について説明する。
折り畳み手段２０は、図５（ａ）、（ｂ）に示すように、一対の方向転換部材２１，２１と、可撓性長尺部材２２を用いた操作部２３と、一対のガイド部材２４，２４とで構成されている。
【００３１】
折り畳み手段２０は、図５（ｂ）に示す折り畳み姿勢において対面する二枚の簀の子２，３裏面の高さ方向中央部に、可撓性長尺部材２２の向きを変えることができる一対の方向転換部材２１，２１を設け、可撓性長尺部材２２を前記一対の方向転換部材２１，２１に下方から掛け渡すとともに、この掛け渡した可撓性長尺部材２２の両側部を簀の子２，３裏面に沿うように上方に配し、さらに二枚の簀の子２，３裏面の一辺側に設けられたガイド部材２４，２４にて案内されながら、二枚の簀の子２，３の一辺同士の隙間から、可撓性長尺部材２２の両端部を簀の子２，３の表面側に引き出し、この引き出した先端部を閉じて可撓性長尺部材２２全体をループ状とした操作部２３を形成したものである。
【００３２】
方向転換部材２１は、図１０に示すように、合成樹脂製のローラ２５の両端が支持板２６によって軸支されており、回動自在に設けられている。
このように、方向転換部材２１として、ローラ２５を用いることにより、可撓性長尺部材２２の動きに合わせてローラ２５が回動することから、ローラ２５が滑車の機能を果たし、姿勢変更する際の抵抗が一層小さくなるので、姿勢変更する際の労力がより一層小さくなる。
【００３３】
可撓性長尺部材２２には、可撓性（柔軟性）を有する材料、例えば布（革、合成皮革、軟質合成樹脂等でもよい）からなる可撓性のある長尺で幅広のベルトが用いられている。
このような構成によれば、紐体やワイヤーと比較して幅広のベルトにより可撓性長尺部材２２を形成しているので、可撓性長尺部材２２を用いた折り畳み手段２０の動作がより安定かつ確実なものとなる。
【００３４】
操作部２３は、図５（ａ）に示すように、可撓性長尺部材２２の先端を閉じてループ状としたものであり、さらに、そのループ状の先端部を幅方向に縫着することにより、先端部に小さなループ状を形成して把持部２３Ａとしている。
このように、操作部２３は、可撓性長尺部材２２の先端を閉じてループ状であることから無端状であるので、図５（ａ）に示すように、簀の子２，３の表面側へ引き出された操作部２３の操作がしやすくなるとともに、簀の子２，３の表面側へ引き出された操作部２３が簀の子の裏面側へ抜け落ちることがない。
【００３５】
ガイド部材２４は、図５（ａ）に示すように、前記簀の子２，３の裏面の前記可撓性長尺部材２２が表面側へ引き出される端部に、前記可撓性長尺部材２２を案内するとともに、前記可撓性長尺部材２２が表面側へ引き出された状態を保持するものである。
具体的には、ガイド部材２４は、図１１に示すように、矩形状の板体２７表面に上下に貫通する凹所を設けたガイド部材２４を、表面側板部材５Ａ，６Ａ裏面に固定して挿通孔２７Ａを形成し、この挿通孔２７Ａ内に、ベルト状の可撓性長尺部材２２を通して、上下動可能としたものである。なお、板体２７表面には矩形板状の足部材１０が設けられている。
このように、操作部２３の操作によって、ベルト状の可撓性長尺部材２２が、ガイド部材２４の挿通孔２７Ａ内を移動するので、可撓性長尺部材２２の動きがブレたりすることがない。よって、可撓性長尺部材２２を用いた折り畳み手段２０の動作がより一層安定かつ確実なものとなる。
【００３６】
なお、図中の方向転換部材２１では、図５（ａ）、（ｂ）に示すように、一対の方向転換部材２１，２１を、二枚の簀の子２，３裏面の高さ方向の中央部に設けているため、左右のバランス良く、操作を行うことができる。しかし、一対の方向転換部材２１，２１の位置は、多少上下して、簀の子２，３裏面の高さ方向の中間であればよく、また、対面する方向転換部材２１と方向転換部材２１の位置が多少ずれても問題ない。
即ち、傾斜姿勢において、操作部２３は、略二等辺三角形状でなくても、略三角形状であれば、折り畳み手段２０の機能を果たすのである。
また、方向転換部材２１は、可撓性長尺部材２２を掛け渡し、可撓性長尺部材２２の方向を転換できるものであればよく、回動するローラである必要はなく、固定された杆体であってもよい。
【００３７】
また、可撓性長尺部材２２は、幅広のベルトの他に、紐体、ワイヤー等を用いることも可能である。
【００３８】
さらに、ガイド部材２４には、図１２に示すように、両端を支持板２８，２８で軸支した案内ローラ２９を用いることも可能である。案内ローラ２９と表面側板部材５Ａ，６Ａの裏面の間に、可撓性長尺部材２２のベルトを位置させることで、案内しながら保持することができる。
また、ガイド部材２４は特に必須ではなく、ガイド部がなくても折り畳み手段２０の機能は果たしうるのである。
【００３９】
逆Ｖ字状に立てた傾斜姿勢において、図５（ａ）に示すように、操作部２３の把持部２３Ａを手で持って、持ち上げると、ガイド部材２４，２４で案内されながら、ベルト状の可撓性長尺部材２２が簀の子２，３裏面に沿って引き上げられるとともに（図中、矢印方向）、ベルト状の可撓性長尺部材２２にて対面する一対の方向転換部材２１，２１のローラ２５，２５同士が回転しながら引き寄せられ（図中、矢印方向）、可撓性長尺部材２２が略二等辺三角形状のループ状に保持されながら、二枚の簀の子２，３が均等に徐々に近づいていく。
即ち、二枚の簀の子２，３は、折り畳み手段２０の操作部２３によって、連動されながら前後の簀の子２，３は同じ角度で徐々に折り畳まれていき（図中、矢印方向）、遂には、図５（ｂ）に示すように、簀の子２と簀の子３の対辺が最も近づいて、折り畳み姿勢に姿勢変更される。
【００４０】
また、逆Ｖ字状に立てた傾斜姿勢において、図５（ａ）に示すように、操作部２３の把持部２３Ａを手で持って、簀の子２，３の自重で降ろしていくと、ガイド部材２４，２４で案内されながら、ベルト状の可撓性長尺部材２２にて簀の子２，３裏面に沿って引き下げられるとともに（図中、矢印と反対方向）、ベルト状の可撓性長尺部材２２にて対面する一対の方向転換部材２１，２１のローラ２５，２５同士が離れる方向に力が働き（図中、矢印と反対方向）、可撓性長尺部材２２が略二等辺三角形状のループ状に保持されながら、二枚の簀の子２，３が均等に徐々に開いていく。
即ち、二枚の簀の子２，３は、折り畳み手段２０の操作部２３によって、連動されながら左右同じ角度で簀の子の対辺が徐々に開いていき（図中、矢印と反対方向）、遂には、図４に示すように、二枚の簀の子２，３をほぼ水平に展開した使用姿勢に姿勢変更される。
【００４１】
なお、上記姿勢変更は、二枚の簀の子２，３の転動体１４を床面上で回動させながら行うことができる。
【００４２】
以上のような寝床用敷き板１の構成によれば、簀の子２，３の表面側へ引き出された
操作部２３の把持部２３Ａを持ち上げると、可撓性長尺部材２２の張力が、前記方向転換部材２１，２１のローラ２５，２５を介して二枚の簀の子２，３を近づけるように二枚の簀の子２，３に対して均等に作用する。よって、簀の子２，３の表面側へ引き出された操作部２３の把持部２３Ａを持ち上げることにより、バランス良く少ない労力で二枚の簀の子２，３を折り畳むことができる。
また、前記折り畳み姿勢における前記簀の子２，３の下端部に転動体１４を設け、前記転動体１４を接地させてなるので、接地している転動体１４が床面に添って転動することから、折り畳み姿勢へ姿勢変更する際の抵抗が非常に小さくなるので、折り畳み姿勢にする労力が非常に小さくなる。
その上、折り畳み姿勢において、簀の子２，３の表面側へ引き出された可撓性長尺部材２２を下げることにより、転動体１４が床面に添って転動しながら自重により二枚の簀の子２，３が均等に徐々に開いてくので、バランス良く非常に少ない労力で使用姿勢にすることができる。
【００４３】
次に、姿勢維持部材３０の構成例について説明する。
姿勢維持部材３０は、図３及び図８に示すように、基端部の踏み板３１と先端部の受け板３２とを左右の連結板３３，３３で繋いだ枠状のものであり、左右の連結板３３，３３の基端部の先端よりも内方（左右の連結板３３，３３の前辺よりも後方）へ離間した左右外面に水平支軸３０Ａ，３０Ａを突設している。
また、姿勢維持部材３０の水平支軸３０Ａ，３０Ａは、図９（ａ）に示すように、簀の子２の帯状部材４，４（図１参照）が連結される辺の対辺から内方（表面側板部材５Ｂの前辺から後方）へ離間した位置の凹部に挿入されるため、図９（ｂ）に示すように姿勢維持部材３０の先端部３２は簀の子２の裏面から離れる方向へ回動可能に構成される。
さらに、受け板３２は、図８に示すように、長方形状板体の上部が斜めにカットされ、姿勢維持部材３０の先端部から基端部に向けて高くなる傾斜面３２Ａが設けられている。
そして、姿勢維持部材３０の先端部を簀の子２の裏面から離れる方向へ回動して受け板３２の下側の連結板３３，３３を接地させ、図７（ｃ）に示すように前記二枚の簀の子２，３を逆Ｖ字状に立てた姿勢では、姿勢維持部材３０の基端部（踏み板３１及び連結板３３，３３の基端部）の一部が簀の子２の表面から突出する。
【００４４】
さらに、図８に示すように、姿勢維持部材３０の連結板３３，３３には、受け板３２よりも前側位置の上面に凸部３４，３４が形成され、凸部３４，３４の前側に掛止手段である面ファスナー体３５，３５が貼着され、面ファスナー体３５，３５に対応する位置の簀の子２の裏面には掛止手段である図示しない面ファスナー体が貼着される。
ここで、面ファスナー体は、例えば貼り付く面同士の一方がフック状に起毛されたフック面であり、他方がループ状に密集して起毛されたループ面である。
したがって、図９（ａ）のように姿勢維持部材３０を簀の子２に添わせた状態では、面ファスナー体３５，３５が簀の子２の裏面の前記面ファスナー体に接触して貼り付くことから、姿勢維持部材３０は簀の子２に掛止されるため、姿勢維持部材３０を簀の子２に添わせた状態が保持される。
このように姿勢維持部材３０が簀の子２に掛止された状態では、図９（ａ）に示すように、姿勢維持部材３０の基端部の表面（踏み板３１の表面）が簀の子２（表面側板部材５Ｂ）の表面と面一になる。
【００４５】
なお、姿勢維持部材３０は、図８に示すような枠状のものではなく棒状等の他の形態であってもよく、複数の姿勢維持部材を備えるようにしてもよい。
【００４６】
次に、寝床用敷き板１の姿勢変更動作について説明する。
先ず、前記使用姿勢から前記二枚の簀の子２，３を逆Ｖ字状に立てた姿勢への姿勢変更について説明する。
図１に示す前記使用姿勢から二枚の簀の子２，３を、図６に示す逆Ｖ字状に立てた状態に姿勢変更する場合、最初に、簀の子２の表面側から姿勢維持部材３０の受け板１２の表面を、図１の矢印Ａ方向に押して姿勢維持部材３０の面ファスナー体３５，３５を簀の子２の裏面の前記面ファスナー体から剥がした状態とする。
それから、操作部２３の把持部２３Ａを手で持って、持ち上げると、姿勢維持部材３０は床面に残されたまま、可撓性長尺部材２２が簀の子２，３裏面に沿って引き上げられるとともに、可撓性長尺部材２２にて対面する一対の方向転換部材２１，２１のローラ２５，２５同士が引き寄せられ、転動体１４が床面と接触しながら、図７（ａ）に示すように、可撓性長尺部２２材が略二等辺三角形状のループ状に保持されながら、二枚の簀の子２，３は同じ角度で徐々に折り畳まれていき、逆Ｖ字状に立てた状態となる。
この状態で、さらに、操作部２３の把持部２３Ａを持ち上げると、二枚の簀の子２，３は、図７（ｂ）の矢印方向に移動し、転動体１４が、姿勢維持部材３０の受け板３２の傾斜面３２Ａ上を移動し、遂には受け板３２を乗り越え、受板３２と凸部３４，３４との間に転動体１４が入り、連結板３３，３３に簀の子３を載せると、図７（ｃ）に示すように、連結板３３，３３が簀の子３に近づくにしたがって低くなるように傾斜しているため、簀の子３の転動体１４は受け板３２の前面（簀の子２に対向する面）に当止され、図６に示す前記二枚の簀の子２，３を逆Ｖ字状に立てた姿勢が維持される。このように、寝床用敷き板１によれば、連続した作業により、ワンタッチで姿勢変更を行うことができる。
【００４７】
なお、図７（ｃ）に示すように、姿勢維持部材３０の連結板３３，３３が簀の子３に近づくにしたがって低くなるように傾斜しており、簀の子３の下端が受け板３２の前面に当止されるため、凸部３４，３４は、必須なものではない。
【００４８】
次に、前記二枚の簀の子２，３を逆Ｖ字状に立てた姿勢から前記折り畳み姿勢への姿勢変更について説明する。
図７（ｃ）に示す前記二枚の簀の子２，３を逆Ｖ字状に立てた姿勢において、簀の子３の転動体１４を持ち上げて移動させ、姿勢維持部材３０の先端部の受け板３２及び連結板３３，３３から外した図７（ｂ）に示す状態にする。
この状態で姿勢維持部材３０の踏み板３１を図７（ｂ）の矢印Ｂのように踏み下げると、姿勢維持部材３０は図中矢印Ｃのように回動し、さらに回動して簀の子２に添った状態となり、この状態では図９（ａ）に示すように、前記掛止手段により姿勢維持部材３０は簀の子２に掛止される。
さらに、この状態で、操作部２３の把持部２３Ａを手で持って持ち上げると、図５（ａ）に示すように、可撓性長尺部材２２が簀の子２，３裏面に沿って引き上げられるとともに（図中、矢印方向）、可撓性長尺部材２２にて対面する一対の方向転換部材２１，２１のローラ２５，２５同士が引き寄せられ（図中、矢印方向）、可撓性長尺部材２２が略二等辺三角形状のループ状に保持されながら、二枚の簀の子２，３は同じ角度で徐々に折り畳まれていき、遂には、簀の子２と簀の子３の対辺が最も近づいて、図５（ｂ）のような二枚の簀の子２，３の裏面同士を重ね合わせた折り畳み姿勢に容易に姿勢変更することができる。
【００４９】
第二実施形態．
第二実施形態は、第一実施形態のような二枚の簀の子により寝床用敷板を構成するものではなく、四枚の簀の子により寝床用敷板を構成するものである。
図１４及び図１５における図１乃至図１３と同一符号は、同一又は相当部分を示している。
本発明に係る寝床用敷き板の実施形態（第二実施形態）を、図１４及び図１５に沿って説明する。
寝床用敷き板１Ａは、図１４に示すように、ほぼ矩形状でほぼ同じ大きさの二枚の簀の子２，３の一辺同士を、姿勢変更自在な連結部材である帯状部材４，４により連結して構成された単位敷き板１７の二組と、中央連結部材である帯状部材１８と、それぞれの単位敷き板１７に設けられた折り畳み手段２０と、姿勢維持部材３０とで構成されている。
【００５０】
寝床用敷き板１Ａは、ほぼ矩形状でほぼ同じ大きさの二枚の簀の子２，３の一辺同士を、姿勢変更自在な帯状部材４，４により連結して構成された単位敷き板１７の二組を、姿勢変更自在な帯状部材１８で連結したものであり、前記四枚の簀の子２，３，３，２をほぼ水平に展開した使用姿勢にすることができる。
また、前記寝床用敷き板１と同様に、それぞれの単位敷き板１７に設けられた折り畳み手段２０を用いて、前記四枚の簀の子２，３，３，２が重なるように折り畳んだ折り畳み姿勢に姿勢変更することができる。
さらに、図１４及び図１５に示すように、それぞれの単位敷き板１７に設けられた折り畳み手段２０を用いて、帯状部材４，４を上端に位置させた二枚の簀の子２，３を逆Ｖ字状に立てた状態とし、この姿勢を姿勢維持部材３０により維持することにより、全体を逆Ｗ字状にした姿勢に姿勢変更することができる。
【００５１】
姿勢維持部材３０は、図１５に示すように、可撓性長尺部材２２の二枚の簀の子２，３の間から表面側へ引き出した部分に設けられた通孔２２Ａ、２２Ｂと、これらの通孔２２Ａ、２２Ｂに、挿入可能な連結部材である係止ピン１９とで構成されている。
そして、かかる姿勢維持部材３０によれば、単位敷き板１７における二枚の簀の子２，３の間から操作部２３の可撓性長尺部材２２を表面側へ引き出し、その引き出した部分に設けられた通孔２２Ａ、２２Ｂに、係止ピン１９を挿入することにより、逆Ｖ字状の傾斜姿勢を維持することができる。
このように、前記姿勢維持部材３０を用いることにより、傾斜姿勢を維持する姿勢維持部材を別途設ける構成と比較して製造コストを低減できる。
【００５２】
なお、前記姿勢維持部材３０では、連結部材として係止ピン１９を用いているが、クリップなどを用いて、可撓性長尺部材の二枚の簀の子２，３の間から表面側へ引き出した部分を固定するようにしたものであってもよい。
さらに、以上の説明では、二組の単位敷き板１７を連結する中央連結部材１８が帯状部材である場合を示したが、連結部材は例えば金属製のヒンジ部材であってもよい。
また、前記姿勢維持部材３０を用いれば、特に、操作部２３である可撓性長尺部材２２をループ状に形成する必要はない。
【符号の説明】
【００５３】
１  寝床用敷き板（第一実施形態）
１Ａ  寝床用敷き板（第二実施形態）
２,３  簀の子
４  帯状部材（連結部材）
５Ａ，５Ｂ，５Ｃ，６Ａ，６Ｂ，６Ｃ  表面側板部材
７，８  裏面側板部材
９Ａ，９Ｂ  固定部材
１０，１１，１２  足部材
１３  通気孔
１４  転動体
１４Ａ  円筒体
１４Ｂ  被覆体
１５  支持体
１６  軸体
１７  単位敷き板
１８  中央連結部材（連結部材）
１９  係止ピン（連結部材）
２０  折り畳み手段
２１  方向転換部材
２２  可撓性長尺部材
２２Ａ，２２Ｂ  通孔
２３  操作部
２３Ａ  把持部
２４  ガイド部材
２５  ローラ
２６  支持板
２７  板体
２７Ａ  挿通孔
２８  支持板
２９  案内ローラ
３０  姿勢維持部材
３０Ａ  水平支軸
３１  踏み板（基端部）
３２  受け板（先端部）
３２Ａ  傾斜面
３３  連結板
３４  凸部
３５  面ファスナー体（掛止手段）
【図１】
0006753057.tif 000002
【図２】
0006753057.tif 000003
【図３】
0006753057.tif 000004
【図４】
0006753057.tif 000005
【図５】
0006753057.tif 000006
【図６】
0006753057.tif 000007
【図７】
0006753057.tif 000008
【図８】
0006753057.tif 000009
【図９】
0006753057.tif 000010
【図１０】
0006753057.tif 000011
【図１１】
0006753057.tif 000012
【図１２】
0006753057.tif 000013
【図１３】
0006753057.tif 000014
【図１４】
0006753057.tif 000015
【図１５】
0006753057.tif 000016